(57)【特許請求の範囲】
【請求項１】
両流れ屋根が棟梁を備えるとともに、該屋根の端部に小壁を備え、棟梁と小壁の柱との間に方杖を架け渡してなる屋根ユニットにおいて、棟梁と小壁の間に方杖を設け、方杖の小壁の柱に対する取付点を棟梁と水平方向で異なる位置としたことを特徴とする屋根ユニット。
【請求項２】
前記方杖を少なくとも２本有し、第１の方杖は棟梁から小壁の中心より一方側の柱に架け渡され、第２の方杖は棟梁から小壁の中心より他方側の柱に架け渡される請求項１記載の屋根ユニット。
【請求項３】
請求項１又は２記載の屋根ユニットを構成する方杖の棟梁又は小壁の柱への取付点に介在する接合金物が回転自在とされてなる方杖接合構造。
【請求項４】
前記接合金物が水平軸回りと鉛直軸回りの両方で回転自在とされてなる請求項３記載の方杖接合構造。
【発明の詳細な説明】
【０００１】
【発明の属する技術分野】
本発明は屋根ユニット及び方杖接合構造に関する。
【０００２】
【従来の技術】
従来の屋根ユニットにあっては、特開平9-60180号公報に記載の如く、両流れ屋根が棟梁と中間梁（又は桁トラス）を備えるとともに、該屋根の端部に小壁を備え、棟梁と小壁の間、中間梁と小壁の間のそれぞれに方杖を架け渡し、それらの方杖により小壁にあたる風荷重を支持している。
【０００３】
【発明が解決しようとする課題】
従来技術には以下の問題点がある。
▲１▼小壁の壁面における水平方向の複数点を方杖で支持するために複数本の方杖を必要とすると同時に、複数本の中間梁を必要とし、屋根ユニットの構成が複雑になる。
【０００４】
▲２▼方杖の梁（棟梁、中間梁）又は小壁への取付点に介在する接合金物が方杖の端部に剛接合されているため、方杖と梁又は小壁との取付角の自由度が全くなく、方杖に対する接合金物の取付部、接合金物と梁又は小壁との取付部に複雑、高精度を必要とし、施工性が悪い。
【０００５】
本発明の課題は、小壁にあたる風荷重を方杖を介して支持するに際し、屋根ユニットの構成を簡素にすることにある。
【０００６】
また、本発明の課題は、方杖と梁又は小壁との取付角に自由度を与え、方杖の取付施工性を向上することある。
【０００７】
【課題を解決するための手段】
請求項１の発明は、両流れ屋根が棟梁を備えるとともに、該屋根の端部に小壁を備え、棟梁と小壁の柱との間に方杖を架け渡してなる屋根ユニットにおいて、棟梁と小壁の柱との間に方杖を設け、方杖の小壁の柱に対する取付点を棟梁と水平方向で異なる位置としたものである。
【０００８】
請求項２の発明は、請求項１の発明において更に、前記方杖を少なくとも２本有し、第１の方杖は棟梁から小壁の中心より一方側の柱に架け渡され、第２の方杖は棟梁から小壁の中心より他方側の柱に架け渡されるようにしたものである。
【０００９】
請求項３の発明は、請求項１又は２記載の屋根ユニットを構成する方杖の棟梁又は小壁の柱への取付点に介在する接合金物が回転自在とされてなる方杖接合構造である。
【００１０】
請求項４の発明は、請求項３の発明において更に、前記接合金物が水平軸回りと鉛直軸回りの両方で回転自在とされてなるようにしたものである。
【００１２】
【作用】
請求項１、２の発明によれば下記▲１▼、▲２▼の作用がある。
▲１▼棟梁と小壁の間に方杖を設け、方杖の小壁に対する取付点を棟梁と水平方向で異なる位置としたから、小壁にあたる風荷重を方杖を介して効果的に支持できる。
【００１３】
▲２▼小壁の壁面における水平方向の複数点を支持するために複数本の方杖を用いるとき、それらの方杖を全て棟梁に取付けることとすれば、中間梁を備えることを必須とせず、屋根ユニットの構成を簡素にしながら、小壁にあたる風荷重を方杖を介して支持できる。
【００１４】
請求項３、４の発明によれば下記▲３▼、▲４▼の作用がある。
▲３▼方杖の棟梁又は小壁への取付点に介在する接合金物が回転自在になっているから、方杖と棟梁又は小壁との取付角の自由度が大きく、方杖に対する接合金物の取付部、接合金物と棟梁又は小壁との取付部に高精度を必要とすることなく簡易とし、方杖の取付施工性を向上できる。
【００１５】
▲４▼小壁と棟梁との位置関係が異なる配置になって、取付角の異なる方杖同士でも、取付部分の部品仕様が共通化できる。
【００１７】
【発明の実施の形態】
図１は第１実施形態のユニット建物を示す斜視図、図２は方杖の配置を示し、（Ａ）は側面図、（Ｂ）は要部詳細図、図３は方杖を示す側面図、図４は施工手順を示し、（Ａ）は全体斜視図、（Ｂ）は棟梁への取付を示す斜視図、（Ｃ）は小壁への取付を示す斜視図、図５は第２実施形態の方杖接合構造を示し、（Ａ）は棟梁への接合構造を示す正面図、（Ｂ）は小壁への接合構造を示す正面図、図６は方杖を示し、（Ａ）は側面図、（Ｂ）は端面図、図７はジョイントボルトを示す斜視図、図８は受プレートを示し、（Ａ）は正面図、（Ｂ）は側面図、図９は施工手順を示し、（Ａ）は方杖へのジョイントボルトの取付を示す斜視図、（Ｂ）はジョイントボルトと受プレートの取付を示す斜視図、図１０は施工手順を示し、（Ａ）は棟梁への取付を示す斜視図、（Ｂ）は小壁への取付を示す斜視図、図１１は第３実施形態の方杖接合構造を示す側面図、図１２は吊プレートを示す正面図、図１３は受プレートを示す平面図、図１４は方杖への吊プレートと受プレートの取付を示す斜視図、図１５は棟梁への取付を示す斜視図、図１６は小壁への取付を示す斜視図である。
【００１８】
（第１実施形態）（図１〜図４）
ユニット建物１０は、図１に示す如く、複数の建物ユニット１１、１１…の上に両流れ屋根ユニット１２、片流れ屋根ユニット１３…を搭載して構築される。
【００１９】
両流れ屋根ユニット１２は、Ｈ形鋼等からなる棟梁２１を備えるとともに、小壁２２を端部に備える。小壁２２は、中心に木質材等からなる小屋柱２３を、両側縁に木質材等からなる小壁柱２４を立設して備える。両流れ屋根ユニット１２は、棟梁２１と小壁２２の間に、方杖３１、３２を架け渡し、それらの方杖３１、３２により小壁２２にあたる風荷重を支持する。
【００２０】
然るに、両流れ屋根ユニット１２は、図１、図２に示す如く、棟梁２１と小壁２２の間に第１と第２の２本の方杖３１、３２を設け、各方杖３１、３２の小壁２２に対する取付点を棟梁２１と水平方向で異なる位置にしている。第１の方杖３１は棟梁２１から小壁２２の中心（小屋柱２３）より一方側の小壁柱２４に架け渡し、第２の方杖３２は棟梁２１から小壁２２の中心（小屋柱２３）より他方側の小壁柱２４に架け渡している。
【００２１】
第１と第２の方杖３１、３２の接合構造は同じであり、第１の方杖３１を代表として以下に説明する。
(1)方杖３１は鋼管等からなり、図３に示す如く、上端部に平板等からなる上ジョイントプレート３１Ａを、下端部にＬ形鋼等からなる下ジョイントプレート３１Ｂを溶接固定してある。
【００２２】
(2)方杖３１は上ジョイントプレート３１Ａを棟梁２１の下面に座金組込ナットボルトセット３３で固定し（図４（Ａ）、（Ｂ））、下ジョイントプレート３１Ｂを小壁２２の小壁柱２４の側面に木ねじ３４で固定する（図４（Ａ）、（Ｃ））。
【００２３】
本実施形態によれば、以下の作用がある。
小壁２２の壁面における水平方向の複数点を支持するために複数本の方杖３１、３２を用いるとき、それらの方杖３１、３２を全て棟梁２１に取付けることとした。従って、中間梁を備えることを必須とせず、屋根ユニット１２の構成を簡素にしながら、小壁２２にあたる風荷重を方杖３１、３２を介して支持できる。
【００２４】
（第２実施形態）（図５〜図１０）
第２実施形態は、図５に示す如く、第１実施形態の棟梁２１と小壁２２の間に、第１実施形態の方杖３１、３２と同様の第１と第２の方杖４０、５０を設け、各方杖４０、５０の小壁２２に対する取付点を棟梁２１と水平方向で異なる位置とし、第１の方杖４０を棟梁２１から小壁２２の小屋柱２３より一方側の小壁柱２４に架け渡し、第２の方杖５０を棟梁２１から小壁２２の小屋柱２３より他方側の小壁柱２４に架け渡した。
【００２５】
第２実施形態が第１実施形態と異なる点は、方杖４０、５０を棟梁２１又は小壁２２（小壁柱２４）への取付点に対し、水平軸回りと鉛直軸回りの両方で回転自在としたことにある。第１と第２の方杖４０、５０の接合構造は同じであり、第１の方杖４０を代表として以下に説明する。
【００２６】
(1)方杖４０は鋼管等からなり、図６に示す如く、上端部に平板等からなる上ジョイントプレート４０Ａを、下端部に平板等からなる下ジョイントプレート４０Ｂを溶接固定してある。
【００２７】
(2)方杖４０の上ジョイントプレート４０Ａ、下ジョイントプレート４０Ｂに、図７に示すジョイントボルト４１（接合金物）のプレート部４１Ａを座金組込ナットボルトセット４２で水平軸回りに回転自在に仮止めする（図９（Ａ））。そして、方杖４０の下ジョイントプレート４０Ｂに仮止めしたジョイントボルト４１のボルト部４１Ｂに、図８に示す受プレート４３を座金組込ナットセット４４で鉛直軸回りに回転自在に仮止めする（図９（Ｂ））。
【００２８】
(3)方杖４０の上ジョイントプレート４０Ａに仮止めしたジョイントボルト４１のボルト部４１Ｂを、棟梁２１の下面の孔に差し込み、座金組込ナットセット４５で鉛直軸回りに回転自在に仮止めする（図１０（Ａ））。
【００２９】
(4)方杖４０の下ジョイントプレート４０Ｂにジョイントボルト４１を介して仮止めした受プレート４３を、小壁柱２４の側面に木ねじ４６で固定する（図１０（Ｂ））。
【００３０】
(5)方杖４０の取付角を調整した後、棟梁２１と小壁２２の小壁柱２４の各取付点に対し仮止めしてあったジョイントボルト４１を本固定する。
【００３１】
本実施形態によれば、以下の作用がある。
▲１▼小壁２２の壁面における水平方向の複数点を支持するために複数本の方杖４０、５０を用いるとき、それらの方杖４０、５０を全て棟梁２１に取付けることとした。従って、中間梁を備えることを必須とせず、屋根ユニット１２の構成を簡素にしながら、小壁２２にあたる風荷重を方杖４０、５０を介して支持できる。
【００３２】
▲２▼方杖４０、５０の棟梁２１又は小壁２２への取付点に介在するジョイントボルト４１が水平軸回りと鉛直軸回りの両方で回転自在になっているから、方杖４０、５０と棟梁２１又は小壁２２との取付角の自由度が大きく、方杖４０、５０に対するジョイントボルト４１の取付部、ジョイントボルト４１と棟梁２１又は小壁２２との取付部に高精度を必要とすることなく簡易とし、方杖４０、５０の取付施工性を向上できる。
【００３３】
▲３▼小壁２２と棟梁２１との位置関係が異なる配置になって、取付角の異なる方杖同士でも、取付部分の部品仕様が共通化できる。
【００３４】
（第３実施形態）（図１１〜図１６）
第３実施形態は、図１１に示す如く、第１実施形態の棟梁２１と小壁２２の間に、方杖６０を設け、方杖６０を棟梁１２から小壁２２の小屋柱２３に架け渡した。方杖６０は、棟梁２１又は小壁２２（小屋柱２３）への取付点に対し、水平軸回りで回転自在としている。方杖６０の接合構造は以下の通りである。
【００３５】
(1)方杖６０は鋼管等からなり、上端部に平板等からなる上ジョイントプレート６０Ａを、下端部に平板等からなる下ジョイントプレート６０Ｂを溶接固定してある。
【００３６】
(2)方杖６０の上ジョイントプレート６０Ａに、図１２に示す吊プレート６１（接合金物）を座金組込ナットボルトセット６２で水平軸回りに回転自在に仮止めする（図１４）。そして、方杖６０の下ジョイントプレート６０Ｂに、図１３に示す受プレート６３（接合金物）を座金組込ナットボルトセット６４で水平軸回りに回転自在に仮止めする（図１４）。
【００３７】
(3)方杖６０の上ジョイントプレート６０Ａに仮止めした吊プレート６１を座金組込ナットボルトセット６５で棟梁２１の下面に固定する（図１５）。
【００３８】
(4)方杖６０の下ジョイントプレート６０Ｂに仮止めした受プレート６３を木ネジ６６で小壁２２の小屋柱２３の正面に固定する（図１６）。
【００３９】
(5)方杖６０の取付角を調整した後、棟梁２１と小壁２２の小屋柱２３の各取付点に対し仮止めしてあった吊プレート６１、受プレート６３を本固定する。
【００４０】
本実施形態によれば、以下の作用がある。
方杖６０の棟梁２１又は小壁２２への取付点に介在する吊りプレート６１、受プレート６３が水平軸回りで回転自在になっているから、方杖６０と棟梁２１又は小壁２２との取付角の自由度が大きく、方杖６０に対する吊りプレート６１、受プレート６３の取付部、吊りプレート６１、受プレート６３と棟梁２１又は小壁２２との取付部に高精度を必要とすることなく簡易とし、方杖６０の取付施工性を向上できる。
【００４１】
以上、本発明の実施の形態を図面により詳述したが、本発明の具体的な構成はこの実施の形態に限られるものではなく、本発明の要旨を逸脱しない範囲の設計の変更等があっても本発明に含まれる。
【００４２】
【発明の効果】
以上のように本発明によれば、小壁にあたる風荷重を方杖を介して支持するに際し、屋根ユニットの構成を簡素にすることができる。
【００４３】
また、本発明によれば、方杖と梁又は小壁との取付角に自由度を与え、方杖の取付施工性を向上することができる。
【図面の簡単な説明】
【図１】図１は第１実施形態のユニット建物を示す斜視図である。
【図２】図２は方杖の配置を示し、（Ａ）は側面図、（Ｂ）は要部詳細図である。
【図３】図３は方杖を示す側面図である。
【図４】図４は施工手順を示し、（Ａ）は全体斜視図、（Ｂ）は棟梁への取付を示す斜視図、（Ｃ）は小壁への取付を示す斜視図である。
【図５】図５は第２実施形態の方杖接合構造を示し、（Ａ）は棟梁への接合構造を示す正面図、（Ｂ）は小壁への接合構造を示す正面図である。
【図６】図６は方杖を示し、（Ａ）は側面図、（Ｂ）は端面図である。
【図７】図７はジョイントボルトを示す斜視図である。
【図８】図８は受プレートを示し、（Ａ）は正面図、（Ｂ）は側面図である。
【図９】図９は施工手順を示し、（Ａ）は方杖へのジョイントボルトの取付を示す斜視図、（Ｂ）はジョイントボルトと受プレートの取付を示す斜視図である。
【図１０】図１０は施工手順を示し、（Ａ）は棟梁への取付を示す斜視図、（Ｂ）は小壁への取付を示す斜視図である。
【図１１】図１１は第３実施形態の方杖接合構造を示す側面図である。
【図１２】図１２は吊プレートを示す正面図である。
【図１３】図１３は受プレートを示す平面図である。
【図１４】図１４は方杖への吊プレートと受プレートの取付を示す斜視図である。
【図１５】図１５は棟梁への取付を示す斜視図である。
【図１６】図１６は小壁への取付を示す斜視図である。
【符号の説明】
１２  屋根ユニット
２１  棟梁
２２  小壁
２３  小屋柱
２４  小壁柱
３１、３２  方杖
４０、５０  方杖
４１  ジョイントボルト（接合金物）
６０  方杖
６１  吊プレート（接合金物）
６３  受プレート（接合金物）
【図１】
0003779137.tif 000002
【図２】
0003779137.tif 000003
【図３】
0003779137.tif 000004
【図４】
0003779137.tif 000005
【図５】
0003779137.tif 000006
【図６】
0003779137.tif 000007
【図７】
0003779137.tif 000008
【図８】
0003779137.tif 000009
【図９】
0003779137.tif 000010
【図１０】
0003779137.tif 000011
【図１１】
0003779137.tif 000012
【図１２】
0003779137.tif 000013
【図１３】
0003779137.tif 000014
【図１４】
0003779137.tif 000015
【図１５】
0003779137.tif 000016
【図１６】
0003779137.tif 000017